(57)【要約】【課題】  精度良くストロボ同調タイミングを制御することのできるシャッタ装置及びカメラを提供する。【解決手段】  エレクトレット化された部位を有する遮光性フィルム幕（２４）と、複数の走査電極を有する電極部材（１）と、連続的に入力されたパルス信号に応じて複数の走査電極に多相交流電圧を印加し複数の走査電極と上記エレクトレット化された部位との間に発生する静電力を用いて上記遮光性フィルム幕を駆動する駆動手段（１４）と、駆動手段に対して遮光性フィルム幕を入射光路を全閉する位置から開放する位置に駆動するためのパルス信号を供給する駆動制御手段（１２）と、駆動制御手段によって設定パルス数が出力された後にストロボ同調信号を出力する信号出力手段（１２）とを具備するシャッタ装置である。【選択図】    図９
2005107300.tif 000002
【特許請求の範囲】
【請求項１】
エレクトレット化された部位を有する遮光性フィルム幕と、
複数の走査電極を有する電極部材と、
連続的に入力されたパルス信号に応じて上記複数の走査電極に多相交流電圧を印加し、上記複数の走査電極と上記エレクトレット化された部位との間に発生する静電力を用いて上記遮光性フィルム幕を駆動する駆動手段と、
上記駆動手段に対して、上記遮光性フィルム幕を入射光路を全閉する位置から開放する位置に駆動するためのパルス信号を供給する駆動信号供給手段と、
上記駆動信号供給手段に上記遮光性フィルム幕の駆動を指令する信号を出力するシャッタ制御手段と、
上記駆動信号供給手段によって設定パルス数が出力された後にストロボ同調信号を出力する信号出力手段と
を具備することを特徴とするシャッタ装置。
【請求項２】
エレクトレット化された部位を有し、初期状態においては入射光路内に配置されたシャッタ先幕と、
上記シャッタ先幕の上記エレクトレット化された部位に対応して設けられた複数の走査電極を有する第１の電極部材と、
エレクトレット化された部位を有し、初期状態においては上記光路外に配置されたシャッタ後幕と、
上記シャッタ後幕の上記エレクトレット化された部位に対応して設けられた複数の走査電極を有する第２の電極部材と、
上記第１の電極部材に所定の多相交流電圧を供給し、それによって生じる静電力を用いて上記シャッタ先幕を上記光路外へ変位させ、その後、上記第２の電極部材に所定の多相交流電圧を供給し、それによって生じる静電力を用いて上記シャッタ後幕を上記光路内へ変位させる駆動制御手段と、
上記シャッタ先幕の上記光路外への変位完了に伴って、ストロボ同調信号を出力する信号出力手段と
を具備することを特徴とするシャッタ装置。
【請求項３】
上記シャッタ先幕と上記第１の電極部材、及び、上記シャッタ後幕と上記第２の電極部材は、一体的に積層されていることを特徴とする請求項２に記載のシャッタ装置。
【請求項４】
エレクトレット化された部位を有し、初期状態においては撮影光路内に配置されているシャッタ先幕と、
上記シャッタ先幕の上記エレクトレット化された部位に対応して設けられた複数の走査電極を有する第１の電極部材と、
エレクトレット化された部位を有し、初期状態においては上記光路外に配置されているシャッタ後幕と、
上記シャッタ後幕の上記エレクトレット化された部位に対応して設けられた複数の走査電極を有する第２の電極部材と、
上記第１、及び、第２の電極部材の上記走査電極に印加する多相交流電圧を制御することによって、上記シャッタ先幕を上記光路外へ退避させる第１の静電駆動動作と、上記シャッタ後幕を上記光路内へ進出させる第２の静電駆動動作と、上記シャッタ先幕、及び、後幕を初期位置へ戻す第３の静電駆動動作とを実行する駆動制御手段と、
上記第１の静電駆動動作が行われた後、ストロボ同調信号を出力する信号出力手段と、
上記ストロボ同調信号に応じて発光するストロボ装置と
を具備することを特徴とするカメラ。
【請求項５】
上記信号出力手段は、上記第１の静電駆動動作が終了する前に上記第２の静電駆動動作が実行された場合には、上記ストロボ同調信号を無効にすることを特徴とする請求項４に記載のカメラ。
【請求項６】
透光性を有する一対の光学素子をスペーサを介して積層したユニットと、
上記一対の光学素子間に形成された空間を移動可能であり、複数のエレクトレット化された部位を有する遮光性フィルム幕と、
上記遮光性フィルム膜の上記エレクトレット化された部位に静電力を作用させるために、上記一対の光学素子の一方に設けられた複数の走査電極と、
上記複数の走査電極に印加する電圧を変化させることによって、上記遮光性フィルム幕を変位させる駆動制御手段と、
を具備し、
上記駆動制御手段は、外部からの制御信号に応じて上記遮光性フィルム幕を第１の位置から第２の位置に駆動するための駆動電圧信号を供給し、その後、ストロボ同調信号を出力することを特徴とするシャッタ装置。
【請求項７】
上記第１の位置は入射光束を遮蔽する位置であり、上記第２の位置はストロボ同調位置であることを特徴とする請求項６に記載のシャッタ装置。
【請求項８】
透光性を有する第１、第２、及び、第３の光学素子をスペーサを介して積層したユニットと、
上記第１及び第２の光学素子間に形成された空間を移動可能であり、複数のエレクトレット化された部位を有する第１の遮光性フィルム幕と、
上記第２及び第３の光学素子間に形成された空間を移動可能であり、複数のエレクトレット化された部位を有する第２の遮光性フィルム幕と、
上記第１及び第２の遮光性フィルム膜の上記エレクトレット化された部位に静電力を作用させるために、上記第１及び第２の光学素子の表面に設けられた第１及び第２の走査電極と、
上記第１及び第２の走査電極に印加する電圧を変化させることによって、上記第１及び第２の遮光性フィルム幕をそれぞれ独立に変位させる駆動制御手段と、
を具備し、
上記駆動制御手段は、外部からの制御信号に応じて上記第１及び第２の遮光性フィルム幕を入射光束の光路内から退避させるための駆動電圧信号を上記第１及び第２の走査電極にそれぞれ独立に供給するとともに、駆動中、もしくは、駆動終了後に設定されたタイミングでストロボ同調信号を出力することを特徴とするシャッタ装置。
【請求項９】
上記駆動制御手段は、上記第１の遮光性フィルム幕の駆動開始後、外部からの制御信号に応じて上記第２の遮光性フィルム幕を入射光束の光路内に進出させるための駆動電圧信号を上記第２の走査電極に供給することを特徴とする請求項８に記載のシャッタ装置。
【請求項１０】
上記駆動制御手段は、外部からの制御信号に応じて上記第１及び第２の遮光性フィルム幕を同時に入射光束の光路外に退避させるための駆動電圧信号を供給することを特徴とする請求項９に記載のシャッタ装置。
【請求項１１】
エレクトレット化された部位を有し開口部を設けた第１の遮光性フィルムと、
上記第１の遮光性フィルムの上記エレクトレット化された部位に対応して設けられた複数の走査電極を有する第１の電極部材と、
エレクトレット化された部位を有し開口部を設けた第２の遮光性フィルムと、
上記第２の遮光性フィルムの上記エレクトレット化された部位に対応して設けられた複数の走査電極を有する第２の電極部材と、
上記第１の電極部材と上記第２の電極部材に所定の多相交流電圧を供給し、それによって生ずる静電力を用いて、上記第１の遮光性フィルムと上記第２の遮光性フィルムを所定位置に変位させて、それぞれの開口部の重なりによって形成される新たな開口部の面積を制御する駆動手段と、
上記駆動手段に上記所定の多層交流電圧を供給するためのパルス信号を供給する駆動信号供給手段と、
上記駆動信号供給手段に上記遮光性フィルムの駆動を指令する信号を出力するシャッタ制御手段と、
上記駆動信号供給手段が所定数の上記パルス信号を出力したときに、ストロボを発光させるための信号を出力する信号出力手段と
を具備することを特徴とするシャッタ装置。
【請求項１２】
請求項１１に記載のシャッタ装置を絞り機構に用いることを特徴とするカメラ。
【発明の詳細な説明】
【技術分野】
【０００１】
本発明はシャッタ装置及びカメラに関し、特に精度良くストロボ同調タイミングを制御することのできるシャッタ装置及びカメラに関する。
【背景技術】
【０００２】
カメラのストロボ撮影時には、シャッタが全開されるタイミングに同調してストロボを発光させる。そのため、高速なシャッタ動作と連携した精度の良いストロボの発光タイミング制御が求められる。
【０００３】
精度の良いストロボの発光タイミング制御に対応する技術として、次の２つが公知の技術となっている。
【０００４】
その１つは、シャッタ先羽根の走行状態を検出するシャッタ先羽根の走行検出手段がシャッタ先羽根の走行を検出した時刻から、ストロボを発光させるタイミングを算出する制御手段を用いるものである（例えば、特許文献１参照）。
【０００５】
他の１つは、シャッタ羽根を駆動するステッピングモータの駆動パルスを計数して、この計数値に基づいてストロボを発光させるものである（例えば、特許文献２参照）。
【特許文献１】特開平１１−１５０５２号公報
【特許文献２】実開平５−３６４３０号公報
【発明の開示】
【発明が解決しようとする課題】
【０００６】
しかしながら、特許文献１に記載の技術では、シャッタ先羽根の走行状態を検出する検出手段が必要となるため、部品数が増加しコストアップの要因となる。また、シャッタ先羽根の走行時間にバラツキがあると正確な発光タイミングが得られない。
【０００７】
特許文献２に記載の技術は、ステッピングモータを用いているため、フォーカルプレーンシャッタのようにシャッタ羽根が高速に移動するシャッタには適用することが困難である。また、ステッピングモータを用いても、シャッタ羽根のロータの慣性が大きいので制御性が良くない。そのため、駆動パルス数が所定値になったからといってシャッタ羽根の開口径が所望の値になっているとは限らない。
【０００８】
本発明は、かかる事情に鑑みてなされたものであって、精度良くストロボ同調タイミングを制御することのできるシャッタ装置及びカメラを提供することを目的とする。
【課題を解決するための手段】
【０００９】
本発明に係る請求項１に記載のシャッタ装置は、エレクトレット化された部位を有する遮光性フィルム幕と、複数の走査電極を有する電極部材と、連続的に入力されたパルス信号に応じて上記複数の走査電極に多相交流電圧を印加し、上記複数の走査電極と上記エレクトレット化された部位との間に発生する静電力を用いて上記遮光性フィルム幕を駆動する駆動手段と、上記駆動手段に対して、上記遮光性フィルム幕を入射光路を全閉する位置から開放する位置に駆動するためのパルス信号を供給する駆動信号供給手段と、上記駆動信号供給手段に上記遮光性フィルム幕の駆動を指令する信号を出力するシャッタ制御手段と、上記駆動信号供給手段によって設定パルス数が出力された後にストロボ同調信号を出力する信号出力手段とを具備する。
【００１０】
また本発明に係る請求項２に記載のシャッタ装置は、上記記載の発明であるシャッタ装置において、エレクトレット化された部位を有し、初期状態においては入射光路内に配置されたシャッタ先幕と、上記シャッタ先幕の上記エレクトレット化された部位に対応して設けられた複数の走査電極を有する第１の電極部材と、エレクトレット化された部位を有し、初期状態においては上記光路外に配置されたシャッタ後幕と、上記シャッタ後幕の上記エレクトレット化された部位に対応して設けられた複数の走査電極を有する第２の電極部材と、上記第１の電極部材に所定の多相交流電圧を供給し、それによって生じる静電力を用いて上記シャッタ先幕を上記光路外へ変位させ、その後、上記第２の電極部材に所定の多相交流電圧を供給し、それによって生じる静電力を用いて上記シャッタ後幕を上記光路内へ変位させる駆動制御手段と、上記シャッタ先幕の上記光路外への変位完了に伴って、ストロボ同調信号を出力する信号出力手段とを具備する。
【００１１】
また本発明に係る請求項３に記載のシャッタ装置は、上記記載の発明であるシャッタ装置において、上記シャッタ先幕と上記第１の電極部材、及び、上記シャッタ後幕と上記第２の電極部材は、一体的に積層されている。
【００１２】
また本発明に係る請求項４に記載のカメラは、エレクトレット化された部位を有し、初期状態においては撮影光路内に配置されているシャッタ先幕と、上記シャッタ先幕の上記エレクトレット化された部位に対応して設けられた複数の走査電極を有する第１の電極部材と、エレクトレット化された部位を有し、初期状態においては上記光路外に配置されているシャッタ後幕と、上記シャッタ後幕の上記エレクトレット化された部位に対応して設けられた複数の走査電極を有する第２の電極部材と、上記第１、及び、第２の電極部材の上記走査電極に印加する多相交流電圧を制御することによって、上記シャッタ先幕を上記光路外へ退避させる第１の静電駆動動作と、上記シャッタ後幕を上記光路内へ進出させる第２の静電駆動動作と、上記シャッタ先幕、及び、後幕を初期位置へ戻す第３の静電駆動動作とを実行する駆動制御手段と、上記第１の静電駆動動作が行われた後、ストロボ同調信号を出力する信号出力手段と、上記ストロボ同調信号に応じて発光するストロボ装置とを具備する。ことを特徴とする。
【００１３】
また本発明に係る請求項５に記載のカメラは、上記記載の発明であるカメラにおいて、上記信号出力手段は、上記第１の静電駆動動作が終了する前に上記第２の静電駆動動作が実行された場合には、上記ストロボ同調信号を無効にする。
【００１４】
また本発明に係る請求項６に記載のカメラは、透光性を有する一対の光学素子をスペーサを介して積層したユニットと、上記一対の光学素子間に形成された空間を移動可能であり、複数のエレクトレット化された部位を有する遮光性フィルム幕と、上記遮光性フィルム膜の上記エレクトレット化された部位に静電力を作用させるために、上記一対の光学素子の一方に設けられた複数の走査電極と、上記複数の走査電極に印加する電圧を変化させることによって、上記遮光性フィルム幕を変位させる駆動制御手段と、を具備し、上記駆動制御手段は、外部からの制御信号に応じて上記遮光性フィルム幕を第１の位置から第２の位置に駆動するための駆動電圧信号を供給し、その後、ストロボ同調信号を出力する。
【００１５】
また本発明に係る請求項７に記載のカメラは、上記記載の発明であるカメラにおいて、上記第１の位置は入射光束を遮蔽する位置であり、上記第２の位置はストロボ同調位置である。
【００１６】
また本発明に係る請求項８に記載のシャッタ装置は、透光性を有する第１、第２、及び、第３の光学素子をスペーサを介して積層したユニットと、上記第１及び第２の光学素子間に形成された空間を移動可能であり、複数のエレクトレット化された部位を有する第１の遮光性フィルム幕と、上記第２及び第３の光学素子間に形成された空間を移動可能であり、複数のエレクトレット化された部位を有する第２の遮光性フィルム幕と、上記第１及び第２の遮光性フィルム膜の上記エレクトレット化された部位に静電力を作用させるために、上記第１及び第２の光学素子の表面に設けられた第１及び第２の走査電極と、上記第１及び第２の走査電極に印加する電圧を変化させることによって、上記第１及び第２の遮光性フィルム幕をそれぞれ独立に変位させる駆動制御手段と、を具備し、上記駆動制御手段は、外部からの制御信号に応じて上記第１及び第２の遮光性フィルム幕を入射光束の光路内から退避させるための駆動電圧信号を上記第１及び第２の走査電極にそれぞれ独立に供給するとともに、駆動中、もしくは、駆動終了後に設定されたタイミングでストロボ同調信号を出力する。
【００１７】
また本発明に係る請求項９に記載のシャッタ装置は、上記記載の発明であるシャッタ装置において、上記駆動制御手段は、上記第１の遮光性フィルム幕の駆動開始後、外部からの制御信号に応じて上記第２の遮光性フィルム幕を入射光束の光路内に進出させるための駆動電圧信号を上記第２の走査電極に供給する。
【００１８】
また本発明に係る請求項１０に記載のシャッタ装置は、上記記載の発明であるシャッタ装置において、上記駆動制御手段は、外部からの制御信号に応じて上記第１及び第２の遮光性フィルム幕を同時に入射光束の光路外に退避させるための駆動電圧信号を供給する。
【００１９】
また本発明に係る請求項１１に記載のシャッタ装置は、エレクトレット化された部位を有し開口部を設けた第１の遮光性フィルムと、上記第１の遮光性フィルムの上記エレクトレット化された部位に対応して設けられた複数の走査電極を有する第１の電極部材と、エレクトレット化された部位を有し開口部を設けた第２の遮光性フィルムと、上記第２の遮光性フィルムの上記エレクトレット化された部位に対応して設けられた複数の走査電極を有する第２の電極部材と、上記第１の電極部材と上記第２の電極部材に所定の多相交流電圧を供給し、それによって生ずる静電力を用いて、上記第１の遮光性フィルムと上記第２の遮光性フィルムを所定位置に変位させて、それぞれの開口部の重なりによって形成される新たな開口部の面積を制御する駆動手段と、上記駆動手段に上記所定の多層交流電圧を供給するためのパルス信号を供給する駆動信号供給手段と、上記駆動信号供給手段に上記遮光性フィルムの駆動を指令する信号を出力するシャッタ制御手段と、上記駆動信号供給手段が所定数の上記パルス信号を出力したときに、ストロボを発光させるための信号を出力する信号出力手段とを具備する。
【００２０】
また本発明に係る請求項１２に記載のカメラは、上記記載のシャッタ装置を絞り機構に用いる。
【発明の効果】
【００２１】
本発明によれば、精度良くストロボ同調タイミングを制御することができる。
【発明を実施するための最良の形態】
【００２２】
図１は、本発明に係るシャッタ装置のシャッタ機構を示す図である。図１の（１）は、シャッタが開の状態を示し、図１の（２）は、シャッタが閉の状態を示している。
【００２３】
本シャッタ機構は、固定子１と移動子２とを備え、移動子２は固定子１に対して左右方向に移動自在に構成されている。そして、固定子１には、被写体からの光像を撮像素子（不図示）に導くための開口部３が設けられ、更に、帯状の複数の駆動電極４が所定の間隔で並べられている。
【００２４】
移動子２は、遮光性を有する部材であり、後述する永久分極された誘導体（以下、エレクトレットという）の部位を備え、駆動電極４の電荷によって駆動力を受けて固定子１に対して相対移動を行う。なお、固定子１には開口部３は必ずしも必要でなく、固定子１を透過部材とし、図１の（１）に示すように駆動電極４が設けられていない領域、即ち、透過領域を形成しても良い。以下、本構成に係るシャッタ機構を「エレクトレットシャッタ」と称す。
【００２５】
図２は、エレクトレットシャッタの基本構成を示す図である。
【００２６】
図２の右には、エレクトレットシャッタの断面を模式的に示している。固定子１に並べられたそれぞれの駆動電極４には、駆動回路１０からの電圧信号線が接続されている。この電圧信号線には４相の電圧信号が印加され、従って、駆動電極４には、４本毎に同一の電圧信号が印加される。図２では、駆動電極４にＡ、Ｂ、Ｃ，Ｄの符号を付してこの電圧信号を区別している。
【００２７】
移動子２には、固定子１との対向面に永久分極された誘導体（エレクトレット）５を複数備えている。
【００２８】
図２の左には、エレクトレットシャッタに印加する電圧信号を発生する駆動回路１０の構成を示している。パルス発生回路１２で生成した矩形波列（駆動パルス信号）は、昇圧回路１４と位相器１５に供給される。昇圧回路１４では、入力した矩形波列を、１００Ｖ程度まで昇圧するとともに、２つの極性を有する電圧信号に分岐して、駆動電極Ａ及びＣに供給する。
【００２９】
一方、位相器１５に入力した矩形波列は、９０°位相が遅れた波形となり、その後、昇圧回路１４に入力されて、上述と同様の２つの矩形波列となり、駆動電極Ｂ及びＤに供給される。
【００３０】
駆動回路１０によって作成されて、駆動電極４に印加される電圧信号列を図３に示す。電圧電極４の電圧の状態は、ｔ１〜ｔ４の４つの状態が時間経過に対応して繰り返して変化する。
【００３１】
図４は、エレクトレットシャッタの動作を説明する図である。
【００３２】
図４の（１）は、ｔ１に切り替った直後のエレクトレットと駆動電極の電圧の状態を示している。エレクトレット５ａは、駆動電極Ａから反発力を受け、駆動電極Ｂから吸引力を受ける。また、エレクトレット５ｂは、駆動電極Ｃから反発力を受け、駆動電極Ｄから吸引力を受ける。このため、移動子２は図の右方向に力を受けて、１つの駆動電極ピッチｄ移動する。
【００３３】
図４の（２）は、ｔ２に切り替った直後のエレクトレットと駆動電極の電圧の状態を示している。エレクトレット５ａは、駆動電極Ａから反発力を受け、駆動電極Ｂから吸引力を受ける。また、エレクトレット５ｂは、駆動電極Ｃから反発力を受け、駆動電極Ｄから吸引力を受ける。このため、移動子２は図の右方向に力を受けて、１つの駆動電極ピッチｄ移動する。
【００３４】
図４の（３）は、ｔ３に切り替った直後のエレクトレットと駆動電極の電圧の状態を示し、図４の（４）は、ｔ４に切り替った直後のエレクトレットと駆動電極の電圧の状態を示している。上述の動作と同様に移動子２は１つの駆動電極ピッチｄ移動する。そして、この動作が繰り返されることで、移動子２は図の右方向に移動する。なお、移動子２を図の左方向に移動するためには、駆動電極４に印加する電圧の極性を逆に切り替えればよい。
【００３５】
［第１の実施の形態］
図５は、本発明に係る第１の実施の形態のシャッタ装置の撮像モジュールの構成を示す斜視図であり、図６は、撮像モジュールの断面図である。
【００３６】
撮像モジュールは、シャッタユニット２１と撮像ユニット２２で構成されている。
【００３７】
シャッタユニット２１は、独立して走行する遮光幕（先幕）２４ａと、遮光幕（後幕）２４ｂを有するフォーカルプレーンシャッタである。この遮光幕２４ａ、２４ｂは、上述のエレクトレット５（不図示）を備えている。そして、それぞれのエレクトレット５の対向面側には複数の駆動電極４ａ、４ｂと開口部（または透過部）を設けた固定子１ａ、１ｂが配設されている。さらに、シャッタユニット２１の被写体側には開口部（透過部）を有する保護部材２５がスペーサ３１〜３４を介してシャッタユニット２１の前面を覆うように固設されている。
【００３８】
ここで、固定子１ａ、１ｂは、ポリイミドフィルムを基板として、その表面に駆動電極４ａ、４ｂをエッチング法によりプリントして形成し、さらに駆動電極４ａ、４ｂ上に絶縁膜を設けている。一方、遮光幕２４ａ、２４ｂは、テフロンを基板として用い、その一方の面にコロナ放電法によりエレクトレットを形成する（エレクトレット化する）。
【００３９】
撮像ユニット２２は、収納容器２６内に撮像素子２７と信号線２８を収容して固定し、収納容器２６の被写体側を開口部（透過部）を有するカバーガラス２９で覆って構成している。
【００４０】
本撮像モジュールは、エレクトレットシャッタを用いてシャッタユニット２１を構成しているため、その厚さを従来のシャッタユニットと比較して大幅に減少することができ、薄型化することができる。
【００４１】
また、エレクトレットシャッタは、遮光幕２４ａ、２４ｂに誘導される電荷を利用するのではなく、エレクトレットに永久分極されている電荷を利用するため、立ち上がり時間を短縮してシャッタ動作を高速化することができる。
【００４２】
また、エレクトレットの電荷量は任意に与えることが可能であることから、駆動力が最大となるような最適の電荷量を与えることができ、極めて大きな駆動力を得ることができる。従って、撮像モジュールのサイズに応じた最適なシャッタユニット２１を構成することができる。
【００４３】
更に、固定子１ａ、１ｂ、遮光幕２４ａ、２４ｂは素材として樹脂材料を用いることができるため軽量である。例えば、遮光幕２４ａ、２４ｂは、１０〜２０μの薄い膜で形成することが可能である。従って、動作に必要な電力量は少なく、かつ静かな動作が実現できる。
【００４４】
図７は、遮光幕（先幕）２４ａと遮光幕（後幕）２４ｂの動作を説明する図である。
【００４５】
図７の（１）に示す初期状態では全閉状態となっている。即ち、先幕２４ａが露光開口全体を覆い、撮像ユニット２２を被写体光から完全に遮光している。次に撮影者がレリーズを操作すると、図７の（２）に示すように、先幕２４ａは図中の矢印方向に駆動されて全開状態となり、被写体光が露光開口を介して撮像ユニット２２に導かれる。そして、所定の露光時間が経過したときに、図７の（３）に示すように、後幕２４ｂが図中の矢印方向に駆動されて露光開口を遮蔽する。
【００４６】
その後、先幕２４ａと後幕２４ｂは図７の（１）に示す初期状態に復帰し、撮影者のレリーズ操作に備えて待機する。
【００４７】
図８は、本発明の第１の実施の形態に係るシャッタ装置を用いたカメラのシステム構成を示すブロック図である。
【００４８】
このカメラのシステムは、カメラ本体としてのボディユニット１００と、アクセサリ装置（以下「アクセサリ」と略称する）として例えば、交換レンズとしてのレンズユニット（即ちレンズ鏡筒）１１２と、撮影した画像データを記録しておく記録メディア１３９、および外付けのストロボユニット８０などから構成されている。
【００４９】
ユーザが所望するレンズユニット１１２は、ボディユニット１００の前面に設けられたレンズマウント（不図示）を介して着脱自在に設定されている。
【００５０】
記録メディア１３９は、各種のメモリカードや外付けのＨＤＤ等の外部記録媒体であり、通信コネクタ１３５を介してカメラ本体と通信可能かつ交換可能に装着される。
【００５１】
またストロボユニット１８０は、閃光電球１８１、ＤＣ／ＤＣコンバータ１８２、ストロボ制御マイクロコンピュータ１８３および電池１８４から成り、ストロボ通信コネクタ１８５を介してカメラ本体と通信可能に装着できる。
【００５２】
レンズユニット１１２の制御はレンズ制御用マイクロコンピュータ（以下”Ｌｕｃｏｍ”と称する）１０５が行う。ボディユニット１００の制御はボディ制御用マイクロコンピュータ（以下“Ｂｕｃｏｍ”と称する）１５０が行う。尚、これらＬｕｃｏｍ１０５とＢｕｃｏｍ１５０とは、合体時において通信コネクタ１０６を介して通信可能に電気的接続がなされる。そしてカメラシステムとしてＬｕｃｏｍ１０５がＢｕｃｏｍ１５０に従属的に協働しながら稼動するようになっている。
【００５３】
レンズユニット１１２内には撮影レンズ１１２ａ、１１２ｂと絞り１０３が設けられている。撮影レンズ１１２ａはレンズ駆動機構１０２内に在る図示しないＤＣモータによって駆動される。絞り１０３は絞り駆動機構１０４内に在る図示しないステッピングモータによって駆動される。Ｌｕｃｏｍ１０５はＢｕｃｏｍ１５０の指令に従ってこれら各モータを制御する。
【００５４】
ボディユニット１００内には次の構成部材が図示のように配設されている。例えば、光学系としての一眼レフ方式の構成部材（ペンタプリズム１１３ａ、クイックリターンミラー１１３ｂ、接眼レンズ１１３ｃ、サブミラー１１３ｄ）と、撮像モジュール２０と、上記サブミラー１１３ｄからの反射光束を受けて自動測距する為のＡＦセンサユニット１３０ａが設けられている。そして、撮像モジュール２０は、光軸上のフォーカスプレーン式のシャッタユニット２１と、光学系を通過した被写体像を光電変換するためのＣＣＤを収容した撮像ユニット２２を有する。
【００５５】
また、このＡＦセンサユニット１３０ａを駆動制御するＡＦセンサ駆動回路１３０ｂと、上記クイックリターンミラー１１３ｂを駆動制御するミラー駆動機構１１８と、上記シャッタユニット２１の先幕２４ａと後幕２４ｂの動きを制御するシャッタ駆動制御回路１４８と、上記ペンタプリズム１１３ａからの光束に基づき測光処理する測光回路１３２が設けられている。
【００５６】
そして、シャッタ駆動制御回路１４８は、Ｂｕｃｏｍ１５０との間でシャッタの開閉動作を制御する信号とストロボと同調する信号の授受を行う。
【００５７】
このカメラシステムにはまた、撮像ユニット２２に接続したＣＣＤインターフェイス回路１３４、液晶モニタ１３６、記憶領域として設けられたＳＤＲＡＭ１３８および記録メディア１３９などを利用して画像処理する画像処理コントローラ１４０とが設けられ、電子撮像機能と共に電子記録表示機能を提供できるように構成されている。
【００５８】
Ｂｕｃｏｍ１５０には、当該カメラの動作状態を表示出力によってユーザへ告知するための動作表示用ＬＣＤ１５７と、カメラ操作ＳＷ１５２とが設けられている。上記カメラ操作ＳＷ１５２は、例えばレリーズＳＷ、モード変更ＳＷおよびパワーＳＷなど、当該カメラを操作するために必要な操作釦を含むスイッチ群である。さらに、電源としての電池１５４と、この電源の電圧を当該カメラシステムの各回路ユニットが必要とする電圧に変換して供給する電源回路１５３が設けられている。
【００５９】
上述した如くに構成されたカメラシステムの各部は次のように稼動する。
【００６０】
ミラー駆動機構１１８は、クイックリターンミラー１１３ｂをＵＰ位置とＤＯＷＮ位置へ駆動するための機構であり、このクイックリターンミラー１１３ｂがＤＯＷＮ位置にある時、撮影レンズ１１２ａ、１１２ｂからの光束はＡＦセンサユニット１３０ａ側とペンタプリズム１１３ａ側へと分割されて導かれる。
【００６１】
ＡＦセンサユニット１３０ａ内のＡＦセンサからの出力は、ＡＦセンサ駆動回路１３０ｂを介してＢｕｃｏｍ５０へ送信されて周知の測距処理が行われる。
【００６２】
また、ペンタプリズム１１３ａに隣接する接眼レンズ１１３ｃからはユーザが被写体を目視できる一方、このペンタプリズム１１３ａを通過した光束の一部は測光回路１３２内のホトセンサ（不図示）へ導かれ、ここで検知された光量に基づき周知の測光処理が行われる。
【００６３】
シャッタ駆動制御回路１４８は、Ｂｕｃｏｍ１５０からシャッタを駆動制御するための信号を受取り、その信号に基づいてシャッタユニット２１を制御すると共に、所定のタイミングで、Ｂｕｃｏｍ１５０にストロボを発光させるためのストロボ同調信号を出力する。Ｂｕｃｏｍ１５０は、このストロボ同調信号に基づいてストロボユニット８０に通信により発光指令信号を出力する。
【００６４】
画像処理コントローラ１４０は、Ｂｕｃｏｍ１５０の指令に従ってＣＣＤインターフェイス回路１３４を制御して撮像ユニット２２から画像データを取り込む。この画像データは画像処理コントローラ１４０でビデオ信号に変換され、液晶モニタ１３６にて出力表示される。ユーザはこの液晶モニタ１３６の表示画像から、撮影した画像イメージを確認できる。
【００６５】
ＳＤＲＡＭ１３８は画像データの一時的保管用メモリであり、画像データが変換される際のワークエリアなどに使用される。またこの画像データはＪＰＥＧデータに変換された後には記録メディア１３９に保管されるように設定されている。
【００６６】
本発明に係る第１の実施の形態のシャッタ装置は、図８におけるシャッタユニット２１とシャッタ駆動制御回路１４８とで構成されている。
【００６７】
図９は、シャッタ駆動制御回路１４８とシャッタユニット２１との信号接続を示す構成図である。シャッタユニット２１には、上述のように先幕２４ａと後幕２４ｂを備えられ、そのそれぞれの遮光幕を駆動するために、図２に示す構成の駆動回路が２系統設けられている。
【００６８】
パルス発生回路１２は、Ｂｕｃｏｍ１５０からの開閉制御信号に基づいて先幕２４ａと後幕２４ｂを駆動して、図７に示す露光開口の全開全閉動作を制御する。また、Ｂｕｃｏｍ１５０からリセット信号を受取ったときは、先幕２４ａと後幕２４ｂを初期状態に駆動する。さらに、パルス発生回路１２は、所定のタイミングでＢｕｃｏｍ１５０にストロボ同調信号を出力する。
【００６９】
上述のように、図９において、昇圧回路１４ａ、１４ｂは、連続的に入力されたパルス信号に応じて複数の走査電極に多相交流電圧を印加し、複数の走査電極とエレクトレット化された部位との間に発生する静電力を用いて遮光性フィルム幕を駆動する駆動手段であり、パルス発生回路１２は、駆動手段に対して、例えば遮光性フィルム幕を入射光路を全閉する位置から開放する位置に駆動するためのパルス信号を供給する駆動信号供給手段であり、Ｂｕｃｏｍ１５０は、駆動信号供給手段に遮光性フィルム幕の駆動を指令する信号を出力するシャッタ制御手段である。
【００７０】
また、パルス発生回路１２は、駆動信号供給手段によって設定パルス数が出力された後にストロボ同調信号を出力する信号出力手段の機能を併せて有している。
【００７１】
そして、昇圧回路１４ａ、１４ｂとパルス発生回路１２とを備えたシャッタ駆動制御回路１４８は、第１の電極部材に所定の多相交流電圧を供給し、それによって生じる静電力を用いてシャッタ先幕を光路外へ変位させ、その後、第２の電極部材に所定の多相交流電圧を供給し、それによって生じる静電力を用いてシャッタ後幕を光路内へ変位させる駆動制御手段である。
【００７２】
続いて、第１の実施の形態に係るシャッタ装置を用いたストロボ同調制御方法について説明する。
【００７３】
図１０は、Ｂｕｃｏｍ１５０の概略の撮影動作手順を示すフロー図である。この動作は、電子カメラの処理手順の内、レリーズ操作から画像データ生成までの動作手順を示している。
【００７４】
ユーザがレリーズボタンを１段押下すると、本処理が開始する。先ず、測光処理を実行する（Ｓ０１）。即ち、測光回路１３２が測定した被写体の輝度情報を獲得する。そして、その輝度情報に基づいて露光量演算を実行し、適正な絞り値（ＡＶ：aperture value）とシャッタ速度（ＴＶ：time value）を算出する（Ｓ０２）。
【００７５】
次に、ＡＦ処理を実行する（Ｓ０３）。被写体からの光束をクイックリターンミラー１１３ｂ及びサブミラー１１３ｄを介してＡＦセンサユニット１３０ａが受光し、受光した被写体像のずれ量をＡＦセンサ駆動回路１３０ｂを介してＢｕｃｏｍ１５０に出力する。Ｂｕｃｏｍ１５０は、被写体像のずれ量からレンズのずれ量を算出し、その値を通信コネクタ１０６を介してＬｕｃｏｍ１０５に送信する。Ｌｕｃｏｍ１０５は、レンズずれ量に基づいてレンズ駆動機構１０２を介して撮影レンズ１１２ａを移動して焦点を調整する。
【００７６】
焦点が調整された状態で、レリーズボタンが更に（２段）押下されているかどうかを調べる（Ｓ０４）。
【００７７】
レリーズボタンが２段押下されていない場合（Ｓ０４  Ｎｏ）で、レリーズボタンが１段押下の状態にあるとき（Ｓ０５  Ｙｅｓ）は、レリーズボタンが２段押下されるまで待機する。しかし、レリーズボタンが２段押下されていない場合（Ｓ０４  Ｎｏ）で、レリーズボタンが１段押下されていない場合（Ｓ０５  Ｎｏ）は、ユーザは撮影動作を中止したものと判断して本処理を終了する。
【００７８】
レリーズボタンが２段押下されている場合（Ｓ０４  Ｙｅｓ）は、撮影動作を継続し、絞り込み駆動を実行する（Ｓ０６）。即ち、Ｂｕｃｏｍ１５０は、ＡＶ値を通信コネクタ１０６を介してＬｕｃｏｍ１０５に送信する。Ｌｕｃｏｍ１０５は、送られたＡＶ値に基づいて絞り駆動機構１０４を介して絞り１０３を制御する。
【００７９】
次にミラーアップ駆動を実行する（Ｓ０７）。即ち、ミラー駆動機構１１８を介してクイックリターンミラー１１３ｂを跳ね上げて撮影光路を確保する。そして、この後、撮像素子インターフェイス回路１３４に対して撮像動作を開始するように指示を出力する（Ｓ０８）。撮像素子インターフェイス回路１３４はこの指示に基づいて撮像ユニット２２の撮像素子２７を動作させる。
【００８０】
以上の動作の後、Ｂｕｃｏｍ１５０は、シャッタ制御動作を実行する。シャッタ制御動作については、図１１に示す全開露光時のシャッタ制御タイムチャートを併せて参照しつつ説明する。
【００８１】
Ｂｕｃｏｍ１５０は、シャッタ駆動制御回路１４８にシャッタ開信号を出力する（Ｓ０９）。即ち、図１１の開閉制御信号の信号レベルをアクティブにする。これを受けたシャッタ駆動制御回路１４８のパルス発生回路１２は、先幕２４ａを駆動するため先幕駆動パルスの出力を開始する。この先幕駆動パルスのパルス数に対応して、図１１の先幕開口波形に示すように、先幕２４ａは露光開口の全閉位置から開方向に駆動される。
【００８２】
次にＢｕｃｏｍ１５０は、露光時間が経過したかどうかを調べる（Ｓ１１）。
【００８３】
露光時間が経過していない場合（Ｓ１１  Ｎｏ）は、図１１に示すストロボ同調信号がシャッタ駆動制御回路１４８から出力されたかどうかを調べ（Ｓ１２）、ストロボ同調信号が出力されるまで待機する（Ｓ１２  Ｎｏ、Ｓ１１）。ストロボ同調信号は、先幕２４ａが露光開口を全開とする位置に到達したタイミングでシャッタ駆動制御回路１４８から出力される。
【００８４】
上述のように、エレクトレットを用いて構成された先幕２４ａ（及び後幕２４ｂ）は極めて軽量であるため、この先幕駆動パルスによって先幕２４ａを高精度かつ高速に駆動することが可能である。従って、露光開口が全開になったかどうかを他の検出手段を用いて検出する必要がなく、先幕駆動パルスのパルス数を計数することで判断することができる。
【００８５】
そこで、シャッタ駆動制御回路１４８は、図１１に示すように、先幕駆動パルスを所定数（ｍ）出力したタイミングで、ストロボ同調信号（矩形信号）をＢｕｃｏｍ１５０に出力する。
【００８６】
このストロボ同調信号がアクティブになったことを検出したときは、Ｂｕｃｏｍ１５０はストロボユニット１８０に対して発光を指示する発光制御信号を出力する（Ｓ１４）。なお、既に発光制御信号を出力している場合は、再度の発光制御信号の出力は行わないように制御する（Ｓ１３）。
【００８７】
露光時間が経過した場合（Ｓ１１  Ｙｅｓ）は、Ｂｕｃｏｍ１５０はシャッタ閉信号を出力する（Ｓ１５）。即ち、開閉制御信号の信号レベルをノンアクティブにする。これを受けたシャッタ駆動制御回路１４８のパルス発生回路１２は、後幕２４ｂを駆動するための後幕駆動パルスの出力を開始する。この後幕駆動パルスのパルス数に従って、図１１の後幕開口波形に示すように、後幕２４ｂは露光開口の全開位置から全閉位置の方向に向けて駆動される。
【００８８】
次に、Ｂｕｃｏｍ１５０は撮像素子インターフェイス回路１３４に対して撮像動作を停止するように指示を出力する（Ｓ１６）。撮像素子インターフェイス回路１３４はこの指示に基づいて撮像ユニット２２の撮像素子２７の撮像動作を停止する。
【００８９】
更に、Ｂｕｃｏｍ１５０はシャッタ駆動制御回路１４８にリセット信号を出力する（Ｓ１７）。これを受けたシャッタ駆動制御回路１４８のパルス発生回路１２は、先幕２４ａ及び後幕２４ｂを初期位置に駆動する。
【００９０】
以上の、ステップＳ０９からステップＳ１７のシャッタ制御動作を終了した後は、画像処理コントローラ１４０に画像データの処理実行を指示する（Ｓ１８）。画像処理コントローラ１４０は、撮像素子インターフェイス回路１３４からの信号をＡＤ変換して画像データを生成し、その画像データを処理して通信コネクタ１３５を介して記録メディア１３９に記録させる。
【００９１】
そして、Ｂｕｃｏｍ１５０は、ミラー駆動機構１１８を介してクイックリターンミラー１１３ｂをダウンさせ（Ｓ１９）、またＬｕｃｏｍ１０５に対して、絞り駆動機構１０４を介して絞り１０３を全開とするように指示して（Ｓ２０）、撮像動作を終了する。
【００９２】
図１２は、スリット露光時のシャッタ制御タイムチャートである。
【００９３】
被写体の輝度が高いときは、先幕２４ａが全開となる前に露光時間が経過する場合がある。このときは、シャッタ駆動制御回路１４８は、ストロボ同調信号を出力せずに後幕駆動パルスを出力する。この場合は、露光開口は全開とはならず、先幕２４ａと後幕２４ｂで形成されるスリット開口が露光開口上を移動する。なお、このスリット露光時の撮像動作は、図１０に示すフローと同一であるためその詳細の説明は省略する。
【００９４】
［第２の実施の形態］
次に、本発明に係るシャッタ装置の第２の実施の形態について説明する。第２の実施形態のシャッタ装置は、例えばコンパクトカメラに適しており、第１の実施の形態で説明したシャッタユニットが撮像ユニットと分離して配置されている点と、シャッタユニットが絞り機能を兼用している点が異なっている。従って、第１の実施の形態と同一の部分には同一の符号を付して詳細の説明を省略する。
【００９５】
図１３は、遮光幕の構成と動作を示す図である。
【００９６】
本シャッタユニットの遮光幕２４ｄ、２４ｅは、それぞれ矩形平板の一部が三角形状に切り欠かれた形状である。そして、遮光幕２４ｄ、２４ｅは、その切り欠き部を互いに向き合わせて配置されている。
【００９７】
図１３の（１）は、シャッタの初期状態である全閉状態を示している。遮光幕２４ｄ、２４ｅが重なり合って被写体光を遮光している。この状態から、遮光幕２４ｄ、２４ｅが図中の矢印方向に移動することにより、遮光幕２４ｄ、２４ｅの切り欠き部が重なり合って被写体光を透過する露光開口が形成され、遮光幕２４ｄ、２４ｅの移動に伴って露光開口面積が変化する。図１３の（２）は、シャッタの全開状態を示している。このように、このシャッタは、遮光と絞り機能とを兼用している。
【００９８】
図１４は、本発明の第２の実施の形態に係るシャッタ装置を用いたカメラのシステム構成を示すブロック図である。第１の実施の形態と同一の機能を有する部分には同一の符号を付してその詳細の説明を省略する。
【００９９】
第２の実施の形態では、カメラのレンズ、ストロボはユニット化されず、カメラと一体に構成されている。
【０１００】
シャッタユニット２０３は撮像ユニット２２２とは分離して、撮像光学系１１２ａ、１１２ｂの間に組み込まれ、遮光機能とともに絞り機能を担っている。そして、このシャッタユニット２０３は、シャッタ駆動制御回路２０４によって制御される。このため、第１の実施の形態と異なり、絞り駆動機構としてステッピングモータを設ける必要がない。
【０１０１】
シャッタ駆動制御回路２０４は、シャッタと絞りの両機能を制御するため、Ｂｕｃｏｍ１５０との間で、駆動制御信号を授受する。また、ストロボ制御マイクロコンピュータ１８３に対して直接ストロボ発光信号を出力する。
【０１０２】
このカメラでは、光学系としての一眼レフ方式の構成部材（ペンタプリズム、クイックリターンミラー、接眼レンズ、サブミラー）は設けられていない。従って、測光回路２０１は直接被写界の輝度を測定し、測距回路２０２は直接被写体までの距離を測定するように配設されている。
【０１０３】
その他、カメラ制御に必要な所定の制御パラメータを記憶する不揮発性記憶手段としてＥＥＰＲＯＭから成る不揮発性メモリ１２９が、Ｂｕｃｏｍ１５０からアクセス可能に設けられている。
【０１０４】
本発明に係る第２の実施の形態のシャッタ装置は、図１４において、シャッタユニット２０３とシャッタ駆動制御回路２０４とで構成されている。
【０１０５】
図１５は、シャッタ駆動制御回路２０４とシャッタユニット２０３との信号接続を示す構成図である。シャッタユニット２０３には、上述のように遮光幕２４ｄ、２４ｅを有しており、それぞれの遮光幕を駆動するために、図２に示す構成の駆動回路が２系統設けられている。
【０１０６】
そして、パルス発生回路１２は、Ｂｕｃｏｍ１５０からのデータと開閉制御信号とに基づいて遮光幕２４ｄ、２４ｅを同時に所定量駆動して、図１３に示す露光開口の絞り動作を制御する。また、パルス発生回路１２は、所定のタイミングでストロボ制御マイクロコンピュータ１８３にストロボ発光信号を出力する。
【０１０７】
上述のように、図１５において、昇圧回路１４ａ、１４ｂは第１の電極部材と第２の電極部材に所定の多相交流電圧を供給し、それによって生ずる静電力を用いて、第１の遮光性フィルムと第２の遮光性フィルムを所定位置に変位させて、それぞれの開口部の重なりによって形成される新たな開口部の面積を制御する駆動手段であり、パルス発生回路１２は、駆動手段に所定の多層交流電圧を供給するためのパルス信号を供給する駆動信号供給手段であり、Ｂｕｃｏｍ１５０は、駆動信号供給手段に遮光性フィルムの駆動を指令する信号を出力するシャッタ制御手段である。
【０１０８】
また、パルス発生回路１２は、駆動信号供給手段が所定数のパルス信号を出力したときに、ストロボを発光させるための信号を出力する信号出力手段の機能を併せて有している。
【０１０９】
続いて、第２の実施の形態に係るシャッタ装置を用いたストロボ発光制御方法について説明する。
【０１１０】
図１６は、シャッタ駆動制御回路２０４の概略の制御動作手順を示すフロー図である。
【０１１１】
シャッタ駆動制御回路２０４は、Ｂｕｃｏｍ１５０からの開口量に関するデータの通信があるまで待機する（Ｓ３０  Ｎｏ）。そして、通信がなされた場合（Ｓ３０  Ｙｅｓ）は、遮光幕２４ｄ、２４ｅの駆動パルス数ｎ、ストロボ発光タイミングを表わす発光パルス数ｆを受信する（Ｓ３１、Ｓ３２）。
【０１１２】
第２の実施の形態のカメラでは、絞りの全開時にストロボを発光させるのではなく、ストロボのガイドナンバ（ＧＮｏ）と被写体までの距離（Ｌ）によって求められる絞り値（ＡＶ）になったときに発光させる。上述の発光パルス数ｆは、その絞り値（ＡＶ）とするために必要な遮光幕２４ｄ、２４ｅを駆動するパルス数である。この発光パルス数ｆは、Ｂｕｃｏｍ１５０が演算によって算出する。
【０１１３】
次に、シャッタ駆動制御回路２０４は、Ｂｕｃｏｍ１５０からのシャッタ開信号があるまで待機し（Ｓ３３  Ｎｏ）、シャッタ開信号が入力されたとき（Ｓ３３  Ｙｅｓ）は、制御動作を開始する
シャッタ開信号が入力された場合（Ｓ３３  Ｙｅｓ）、即ち、図１７で開閉制御信号の信号レベルがアクティブになったときは、これを受けたシャッタ駆動制御回路２０４のパルス発生回路１２は、遮光幕２４ｄ、２４ｅの露光開口を広げる駆動パルス列を出力する（Ｓ３４）。
【０１１４】
シャッタ駆動制御回路２０４は、所定のｎパルスを出力したかどうかを調べる（Ｓ３５）。
【０１１５】
まだｎパルスを出力していない場合（Ｓ３５  Ｎｏ）は、ｆパルスを出力したかどうかを調べ（Ｓ３６）、ｆパルスを出力するまでパルス出力を続行する（Ｓ３６  Ｎｏ、Ｓ３５）。そして、ｆパルスを出力したタイミングでシャッタ駆動制御回路２０４はストロボ制御マイクロコンピュータ１８３にストロボ発光信号を出力する。
【０１１６】
そして、ｎパルスを出力したとき（Ｓ３５  Ｙｅｓ）は、遮光幕２４ｄ、２４ｅを駆動するためのパルス出力を停止して、Ｂｕｃｏｍ１５０からシャッタ閉信号が出力されるまで待機する（Ｓ３９  Ｎｏ）。Ｂｕｃｏｍ１５０は露光時間が経過したときに、シャッタ閉信号を出力する。即ち、開閉制御信号の信号レベルを非アクティブとする（Ｓ３９  Ｙｅｓ）。
【０１１７】
シャッタ駆動制御回路２０４は、遮光幕２４ｄ、２４ｅを閉方向に駆動するパルスを出力し（Ｓ４０）、所定数のパルスを出力して遮光幕２４ｄ、２４ｅを全閉とした（Ｓ４１  Ｙｅｓ）後、再度の制御動作が指示されるまで待機する。
【０１１８】
以上説明した各実施の形態のシャッタ装置は、エレクトレットシャッタを用いて構成しているため、従来のステッピングモータを用いたシャッタ装置に比べて高速で高精度に遮光幕を制御することができる。
【０１１９】
また、遮光幕の駆動にステッピングモータを用いる必要がないため、シャッタ装置を軽量化することができ、さらに、薄型化することができる。従って、このシャッタ装置を組み込んだカメラの小型・軽量化を実現することができる。
【０１２０】
また本シャッタ装置は、消費電力が小さいため、省エネルギ、省資源を図ることができる。
【０１２１】
さらに第２の実施の形態によれば、上述の効果に加え、絞り機構と絞り駆動のためのステッピングモータとを設ける必要がないため、更に小型軽量化、低コスト化を図ることができる。
【０１２２】
なお、上述の各実施の形態に基づいて、本発明は、以下のように表わすことができる。
【０１２３】
（１）シャッタ位置が固定子の電極幅と制御パルスの数で一義的に定められるエレクトレットシャッタを用いたシャッタ機構と、電極へ印加する駆動波形をもとにシャッタ位置を制御する位置制御手段と、所定のタイミングでストロボを発光させる発光制御手段とを備えたシャッタ装置。
【０１２４】
（２）上記位置制御手段は、上記電極へ印加する駆動波形のパルス数を計数し、この計数値に基づいてシャッタ位置を制御する。
【０１２５】
（３）上記電極へ印加する駆動波形は、プログラム化されたものである。
【０１２６】
（４）上記電極へ印加する駆動波形は、上記制御パルスから作成される。
【０１２７】
（５）上記所定のタイミングは、上記電極へ印加する駆動波形のパルスの数に基づいて決定される。
【０１２８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１２９】
【図１】本発明に係るシャッタ装置のシャッタ機構を示す図。
【図２】エレクトレットシャッタの基本構成を示す図。
【図３】駆動電極に印加される電圧信号列を示す図。
【図４】エレクトレットシャッタの動作を説明する図。
【図５】本発明に係る第１の実施の形態のシャッタ装置の撮像モジュールの構成を示す斜視図。
【図６】本発明に係る第１の実施の形態の撮像モジュールの断面図。
【図７】遮光幕の動作を説明する図。
【図８】本発明の第１の実施の形態に係るシャッタ装置を用いたカメラのシステム構成を示すブロック図。
【図９】シャッタ駆動制御回路とシャッタユニットとの信号接続を示す構成図。
【図１０】ボディ制御用マイクロコンピュータの概略の撮影動作手順を示すフロー図。
【図１１】全開露光時のシャッタ制御タイムチャートを示す図。
【図１２】スリット露光時のシャッタ制御タイムチャートを示す図。
【図１３】遮光幕の構成と動作を示す図。
【図１４】本発明の第２の実施の形態に係るシャッタ装置を用いたカメラのシステム構成を示すブロック図。
【図１５】シャッタ駆動制御回路とシャッタユニットとの信号接続を示す構成図。
【図１６】シャッタ駆動制御回路２０４の概略の制御動作手順を示すフロー図。
【図１７】シャッタ制御タイムチャートを示す図。
【符号の説明】
【０１３０】
１…固定子、２…移動子、３…開口部（透過部）、４…駆動電極、５…エレクトレット、１０…駆動回路、１２…パルス発生回路、１４…昇圧回路、２０…撮像モジュール、２１…シャッタユニット、２２…撮像ユニット、２４…遮光幕、２５…保護部材、２７…撮像素子、１３４…撮像素子インターフェイス回路、１４８…シャッタ駆動制御回路、１５０…ボディ制御用マイクロコンピュータ、１８０…ストロボユニット、２０３…絞り、２０４…シャッタ駆動制御回路。
【図１】
2005107300.tif 000003
【図２】
2005107300.tif 000004
【図３】
2005107300.tif 000005
【図４】
2005107300.tif 000006
【図５】
2005107300.tif 000007
【図６】
2005107300.tif 000008
【図７】
2005107300.tif 000009
【図８】
2005107300.tif 000010
【図９】
2005107300.tif 000011
【図１０】
2005107300.tif 000012
【図１１】
2005107300.tif 000013
【図１２】
2005107300.tif 000014
【図１３】
2005107300.tif 000015
【図１４】
2005107300.tif 000016
【図１５】
2005107300.tif 000017
【図１６】
2005107300.tif 000018
【図１７】
2005107300.tif 000019